(57)【特許請求の範囲】
【請求項１】
画像を表示する表示部と、当該表示部に重畳して配置され、ユーザに接触されるタッチパネルと、を備える入力受付装置であって、
前記表示部の表示画面に操作領域と誤操作領域とを表示する表示制御部と、
前記タッチパネルへの接触があった旨及び前記表示画面における接触位置を検出する検出部と、
前記検出された接触位置が前記操作領域と前記誤操作領域とのいずれにあるかを判別する領域判別部と、
前記誤操作領域への一定時間内の接触の回数を計測する計測部と、
前記表示制御部を制御し、前記接触の回数が予め設定した複数段階の閾値のうちの各段階の閾値以上になるごとに、前記操作領域をそれぞれ異なる態様で表示させる処理制御部と、を備える、
ことを特徴とする入力受付装置。
【請求項２】
前記処理制御部は、前記表示制御部を制御し、前記接触の回数が前記各段階の閾値以上になるごとに、前記操作領域を順次拡大して表示することを特徴とする請求項１に記載の入力受付装置。
【請求項３】
情報の入力を受け付ける入力受付部と、所定の情報を含む電波の送信及び受信を行う無線通信部と、前記入力受付部に入力された情報に基づいて前記無線通信部を制御し、外部との通信を行う通信制御部と、を備える携帯通信端末において、
前記入力受付部として、請求項１に記載の入力受付装置を備える、
ことを特徴とする携帯通信端末。
【請求項４】
画像を表示する表示部と、当該表示部に重畳して配置され、ユーザに接触されるタッチパネルと、を備える入力受付装置にて実行される入力受付方法であって、
前記表示部の表示画面に操作領域と誤操作領域とを表示する、
前記タッチパネルへの接触があった旨及び前記表示画面における接触位置を検出する、
前記検出された接触位置が前記操作領域と前記誤操作領域とのいずれにあるかを判別する、
一定時間内における前記誤操作領域への接触の回数を計測する、
前記誤操作領域への接触の回数が、予め設定した複数段階の閾値のうちの各段階の閾値以上になったか否かを判別する、
前記接触の回数が前記各段階の閾値以上になるごとに、前記操作領域をそれぞれ異なる態様で表示する、
ことを特徴とする入力受付方法。
【請求項５】
画像を表示する表示部と、当該表示部に重畳して配置され、ユーザに接触されるタッチパネルと、を備えるコンピュータを、
前記表示部の表示画面に操作領域と誤操作領域とを表示する表示制御部、
前記タッチパネルへの接触があった旨及び前記表示画面における接触位置を検出する検出部、
前記検出された接触位置が前記操作領域と前記誤操作領域とのいずれにあるかを判別する領域判別部、
前記誤操作領域への一定時間内の接触の回数を計測する計測部、
前記接触の回数が予め設定した複数段階の閾値のうちの各段階の閾値以上になるごとに、前記操作領域をそれぞれ異なる態様で表示する処理制御部、として機能させる、
ためのプログラム。
【発明の詳細な説明】
【技術分野】
【０００１】
本発明は、入力受付装置、入力受付方法、プログラム、及び携帯通信端末に関する。
【背景技術】
【０００２】
ユーザからの入力操作を受け付ける入力受付装置において、タッチパネルが広く用いられている。タッチパネルは、例えば、ＬＣＤ（液晶表示装置）等の表示部の前面に重ねて配置され、表示部に目標となる画像（例えば、キー画像）が表示された状態で、ユーザの指やタッチペン（スタイラス等）による接触操作（タッチ操作）を待機する。そして、入力受付装置は、キー画像に対応するタッチパネル上の領域（受付領域）が接触されると、その旨を検知し、そのキー画像に割り当てられた機能が実現される（例えば、特許文献１参照）。【０００３】
最近では、携帯電話機にも、このようなタッチパネルを有する入力受付装置が用いられるようになっている（例えば、特許文献２参照）。【０００４】
そして、このような携帯電話機では、多機能化に対応し、デザインの向上を図りながら、画像送信、バーコードリーダ、ＧＰＳ、アプリケーションダウンロード、アドレス（電話帳）登録などの多彩な機能が、タッチパネルを用いた洗練された操作性によって実現されている。【０００５】
さらに、特許文献２に記載の携帯通信端末は、入力頻度の高い文字を拡大してタッチパネル上に表示し、文字の選択操作の操作性の向上を図っている。
【先行技術文献】
【特許文献】
【０００６】
【特許文献１】特開２００８−６５５１８号公報
【特許文献２】特開２００７−２８０１５３号公報
【発明の概要】
【発明が解決しようとする課題】
【０００７】
しかしながら、上記した携帯通信端末では、入力頻度に応じて文字を拡大するため、使用開始後、間もない初期段階では、入力頻度の情報がないため操作性の向上が図られていない。また、文字入力に特化して操作性の向上が図られているため、キー画像に対応するタッチパネル上の領域への接触操作を含めた、文字入力以外の操作性の向上は不十分であった。さらに、ユーザが子供や高齢者である場合では、無意識の内に誤った接触を連続して行ってしまうことがあるが、そのような誤操作に対して何ら工夫がなされていない。そこで、幅広い年齢層のユーザにとって、さらに高い操作性と十分な機能とが両立した新たな手法が求められている。【０００８】
本発明は、上記問題点に鑑みてなされたものであり、その第１の目的は、高い操作性を有する入力受付装置、入力受付方法、ならびに、これらをコンピュータ上で実現するためのプログラムを提供することにある。
【０００９】
また、本発明の第２の目的は、高い操作性と十分な機能とが両立した携帯通信端末を提供することにある。
【課題を解決するための手段】
【００１０】
上記第１の目的を達成するため、本発明の第１の観点に係る入力受付装置は、
画像を表示する表示部と、当該表示部に重畳して配置され、ユーザに接触されるタッチパネルと、を備える入力受付装置であって、
前記表示部の表示画面に操作領域と誤操作領域とを表示する表示制御部と、
前記タッチパネルへの接触があった旨及び前記表示画面における接触位置を検出する検出部と、
前記検出された接触位置が前記操作領域と前記誤操作領域とのいずれにあるかを判別する領域判別部と、
前記誤操作領域への一定時間内の接触の回数を計測する計測部と、
前記表示制御部を制御し、前記接触の回数が予め設定した複数段階の閾値のうちの各段階の閾値以上になるごとに、前記操作領域をそれぞれ異なる態様で表示させる処理制御部と、を備える、
ことを特徴とする。
【００１１】
本発明の第２の観点に係る携帯通信端末は、
情報の入力を受け付ける入力受付部と、所定の情報を含む電波の送信及び受信を行う無線通信部と、前記入力受付部に入力された情報に基づいて前記無線通信部を制御し、外部との通信を行う通信制御部と、を備える携帯通信端末において、
前記入力受付部として、上記した入力受付装置を備える、
ことを特徴とする。【００１２】
本発明の第３の観点に係る入力受付方法は、
画像を表示する表示部と、当該表示部に重畳して配置され、ユーザに接触されるタッチパネルと、を備える入力受付装置にて実行される入力受付方法であって、
前記表示部の表示画面に操作領域と誤操作領域とを表示する、
前記タッチパネルへの接触があった旨及び前記表示画面における接触位置を検出する、
前記検出された接触位置が前記操作領域と前記誤操作領域とのいずれにあるかを判別する、
一定時間内における前記誤操作領域への接触の回数を計測する、
前記誤操作領域への接触の回数が、予め設定した複数段階の閾値のうちの各段階の閾値以上になったか否かを判別する、
前記接触の回数が前記各段階の閾値以上になるごとに、前記操作領域をそれぞれ異なる態様で表示する、
ことを特徴とする。
【００１３】
本発明の第４の観点に係るプログラムは、
画像を表示する表示部と、当該表示部に重畳して配置され、ユーザに接触されるタッチパネルと、を備えるコンピュータを、
前記表示部の表示画面に操作領域と誤操作領域とを表示する表示制御部、
前記タッチパネルへの接触があった旨及び前記表示画面における接触位置を検出する検出部、
前記検出された接触位置が前記操作領域と前記誤操作領域とのいずれにあるかを判別する領域判別部、
前記誤操作領域への一定時間内の接触の回数を計測する計測部、
前記接触の回数が予め設定した複数段階の閾値のうちの各段階の閾値以上になるごとに、前記操作領域をそれぞれ異なる態様で表示する処理制御部、として機能させる。
【発明の効果】
【００１４】
本発明によれば、高い操作性と十分な機能とが両立した携帯通信端末を提供することができる。
【図面の簡単な説明】
【００１５】
【図１】本発明の実施形態に係る入力受付装置が実現される典型的な携帯電話機の外観を示す模式図である。
【図２】携帯電話機の機能ブロック図である。
【図３】入力受付装置による入力受付処理を説明するためのフローチャートである。
【図４】携帯電話機の一表示画面（キー画像が拡大される前）を示す図である。
【図５】携帯電話機の一表示画面（キー画像が拡大された後）を示す図である。
【図６】携帯電話機の一表示画面（キー画像の枠線が太く表示される前）を示す図である。
【図７】図３の入力受付装置による入力受付処理の続きを説明するためのフローチャートである。
【図８】携帯電話機の一表示画面（キー画像の枠線が太く表示された後）を示す図である。
【図９】携帯電話機の一表示画面（送信メール作成画面）を示す図である。
【図１０】携帯電話機の一表示画面（モード選択画面）を示す図である。
【図１１】携帯電話機の一表示画面（キー画像が拡大された後）及び振動部が振動している状態を示す図である。
【図１２】携帯電話機の一表示画面（キー画像が拡大された後）及びＬＥＤが点滅している状態を示す図である。
【図１３】携帯電話機の一表示画面（キー画像が拡大された後）及びスピーカから音声が発音されている状態を示す図である。
【図１４】複数段階の閾値とキー画像が拡大されて表示される拡大率との対応関係の一例を示す図である。
【発明を実施するための形態】
【００１６】
以下、本発明の実施の形態について図面を参照しながら説明する。
図１は、本発明の実施形態に係る入力受付装置を備えた典型的な携帯電話機（携帯通信端末）の外観を示す模式図である。図示するように、この携帯電話機５０の表面に、表示部２２ａと、表示部に重畳して配置されたタッチパネル２５ａとが配設されている。また、携帯電話機５０の表面には、ＬＥＤ（Light Emitting Diode）３３と、操作部４２と、マイク４３と、スピーカ４４と、が配設されている。
【００１７】
本実施形態に係る携帯電話機５０は、通常の携帯電話機と同様に、音声通話機能、電子メールの送信及び受信機能、インターネットへの接続機能、ＴＶ放送受信・再生やゲームなどの各種アプリケーション機能などを実行する。携帯電話機５０は、図２に示すように、上述した表示部２２ａ、タッチパネル２５ａ、ＬＥＤ３３、マイク４３、及びスピーカ４４に加えて、主制御部２０と、記憶部３１と、振動部３２と、アンテナ４１ａを有する無線通信部４１と、操作部４２と、を具備している。
【００１８】
なお、携帯電話機５０において、入力受付装置は、表示部２２ａ、タッチパネル２５ａ、主制御部２０、記憶部３１、並びに、後述する報知部としての振動部３２、ＬＥＤ３３、及びスピーカ４４から構成される。
【００１９】
図１及び図２を参照して、表示部２２ａは、液晶表示装置や有機ＥＬ（Electroluminescence）表示装置などから構成され、文字情報やキー画像などの各種の情報を表示する。また、タッチパネル２５ａは、操作部の役割を果たしており、表示部２２ａに表示されるキー画像などに対応した領域にユーザの指やタッチペンによって接触がなされると、その旨を検知し、その領域に割り当てられた各種の機能が実現されるようになっている。
【００２０】
タッチパネル２５ａは、いわゆる抵抗膜方式のものであり、２枚の抵抗膜をわずかな隙間を空けて重ねた構造を有している。そして、タッチパネル２５ａは、指などでパネル（抵抗膜）が押し下げ（接触操作）されると、抵抗膜同士が接して通電し、それにより電圧を検出する。抵抗膜は通電位置に応じて抵抗値が変わるので、抵抗膜から得られる出力電圧も、位置に応じて変化することになる。そのため、タッチパネル２５ａは、この電圧の変化に基づいて、接触の位置（接触位置）を特定するための信号を外部に出力することができる。また、タッチパネル２５ａは、抵抗膜方式のものに代えて、例えば、静電容量方式のものとすることもできる。
【００２１】
図２を参照して、無線通信部４１は、アンテナ４１ａから受信した音声情報や電子メールなどの所定の情報を含む電波を復調して所定の情報を含む電気信号に変換し、処理制御部２１に供給する。また、無線通信部４１は、処理制御部２１から供給される音声情報や電子メールなどの所定の情報を含む電気信号を変調してアンテナ４１ａから所定の情報を含む電波として送信する。
【００２２】
図１に示すように、操作部４２は、電子メール機能、通信モード機能、メニュー表示機能などを選択させる機能ボタンや、画面に表示された反転表示部を移動させるスクロールキーなどを有する機能選択部４２ａと、文字や数字の入力を受け付けるテンキー部４２ｂとから構成されている。操作部４２は、このように機械的な構造で各種の入力を受け付ける押し下げボタンやスクロールキーなどから構成されている。
【００２３】
報知部は、図２に示す振動部３２と、ＬＥＤ３３と、上述したスピーカ４４とから構成される。振動部３２は、振動モータからなり、モータの回転軸に重心が偏心するように分銅が取り付けられている。そして、モータが回転すると、重心の不釣り合いのため振動が発生する。ＬＥＤ３３は、所定の電気信号の入力によって、点灯又は点滅する。スピーカ４４は、所定の電気信号が入力されると、音や音声を発生する。
【００２４】
主制御部２０は、ＣＰＵ（Central Processing Unit）を含むマイコンから構成され、記憶部３１に格納されたプログラムにより動作する。
【００２５】
主制御部２０は、タッチパネル２５ａや操作部４２に入力された情報などに基づいて無線通信部４１を制御し、外部との通信を行う通信制御部として機能する処理制御部２１を備えている。また、主制御部２０は、表示部２２ａを制御し、文字情報やキー画像などの各種の情報を予め設定された領域に表示させると共に、表示部２２ａに表示したキー画像を拡大したり、キー画像を囲む枠線を太く表示したりする処理などを行う表示制御部２２を備えている。主制御部２０は、さらに、マイク４３から入力された音声情報を電気信号に変換すると共に、入力された音声情報を含む電気信号を音声としてスピーカから発生させる音声処理部２６を備えている。
【００２６】
処理制御部２１は、無線通信部４１を制御し、無線基地局との間で送信及び受信される電子メールを処理する一方、無線通信部４１を制御し、無線ネットワークに音声情報を含む電波を送信すると共に、無線ネットワークから音声情報を含む電波を受信する。
【００２７】
また、処理制御部２１は、タッチパネル２５ａによって音声通話機能、電子メールの送信及び受信機能、インターネットへの接続機能、ＴＶ放送受信・再生やゲームなどの各種アプリケーション機能が選択されると、その機能を実現する。また、処理制御部２１は、振動部３２を制御し、モータに各種の電気信号を送信することによって、振動を発生させる。
【００２８】
また、主制御部２０は、タッチパネル２５ａから出力された電気信号に基づいて接触位置を検出する検出部２５と、検出した位置が、表示部２２ａに表示されたキー画像に対応する領域内にあるかどうかを判別する領域判別部２４とを備えている。
【００２９】
また、主制御部２０は、検出した位置が、表示部２２ａに表示されたキー画像に対応する領域内にない場合に、その領域への接触の回数を計測（カウント）すると共に、その計測値（カウント値）を処理制御部２１に出力する計測部２３を備えている。なお、計測部２３は、タイマを内蔵しており、表示部２２ａに表示されたキー画像に対応する領域への接触の回数の計測は、タイマで設定した時間内で実行される。
【００３０】
記憶部３１は、ＲＡＭ（Random Access Memory）、ＲＯＭ（Read Only Memory）、ハードディスク装置、フラッシュメモリなどから構成され、主制御部２０を動作させるプログラムやそのプログラムに利用される各種のデータを格納すると共に、主制御部２０の作業領域となる。
【００３１】
そして、主制御部２０は、記憶部３１に格納されたプログラムによって、携帯電話機５０による上記の機能を実現する。即ち、プログラムは、表示部２２ａにより表示画面（画面内に表示される画像）をキー画像（操作領域）と、キー画像以外の領域（誤操作領域）とに区分して表示させる表示制御部２２と、タッチパネル２５ａへの接触があった旨及び接触位置を検出する検出部２５と、接触位置がキー画像の領域内及びキー画像以外の領域内のいずれにあるかを判別する領域判別部２４と、一定時間内におけるキー画像以外の領域への接触の回数を計測すると共に、その接触の回数に基づいて、キー画像以外の領域への接触が一定時間内に複数回連続して行われたか否かを判別する計測部２３と、キー画像以外の領域への接触が連続して行われた場合に、表示制御部２２を制御し、キー画像を接触が連続する以前とは異なる態様で表示する処理制御部２１と、として機能する。
【００３２】
次に、本実施形態に係る携帯電話機５０の入力受付処理を、図３及び図７のフローチャート、図４〜図６、図８、図９を参照して説明する。
【００３３】
まず、ユーザが携帯電話機５０の電源をオンとすると、表示部２２ａは、表示制御部２２により制御され、図４に示す初期画面を表示する。ここでは、表示部２２ａは、表示画面を操作領域と誤操作領域とに区分して表示する（ステップＳ１０１）。ここで、「操作領域」とは、キー画像など、その表示画面においてユーザによる接触操作が想定されている領域をいい、「誤操作領域」とは、キー画像以外の背景領域など、その表示画面においてユーザによる接触操作を想定していない領域をいう。
【００３４】
具体的には、図４に示すように、表示部２２ａは、表示画面を、通話用キー画像２２ｂ、電子メール用キー画像２２ｃ、インターネット接続用キー画像２２ｄ、及びアプリケーション用キー画像２２ｅとから構成される操作領域と、キー画像２２ｂ〜２２ｅ以外の、写真、絵柄、無地画像などが表示される背景領域Ａから構成される誤操作領域とに区分して表示する。
【００３５】
次に、検出部２５は、タッチパネル２５ａへの接触があったか否かを検出し（ステップＳ１０２）、接触があった場合には（ステップＳ１０２：Ｙｅｓ）、表示部２２ａの表示画面における接触の位置（接触位置）を検出する（ステップＳ１０３）。
【００３６】
一方、接触がない場合には（ステップＳ１０２：Ｎｏ）、検出部２５は、タッチパネル２５ａへの接触があったか否かを検出する状態を継続する（ステップＳ１０２）。
【００３７】
検出部２５が表示部２２ａの表示画面における接触位置を検出すると、領域判別部２４は、その接触位置が誤操作領域内にあるか否かを判別する（ステップＳ１０４）。
【００３８】
そして、誤操作領域であるうちの背景領域Ａに接触されたと判別された場合には（ステップＳ１０４：Ｙｅｓ）、計測部２３は、フラグ（ＦＬＧ）が０であるか否かを判別し（ステップＳ１０５）、ＦＬＧ＝０である場合には（ステップＳ１０５：Ｙｅｓ）、内蔵したタイマをスタートさせ、時間計測を開始すると共に、ＦＬＧ＝１に設定する（ステップＳ１０６）。さらに、当該接触の回数を計測（カウント）し、カウント値を１つずつインクリメントする（ステップＳ１０７）。つまり、カウント値＝カウント値＋１とする。なお、初期状態では、ＦＬＧ＝０、タイマ＝０［ｓｅｃ］、カウント値＝０である。
【００３９】
一方、計測部２３は、フラグ（ＦＬＧ）が１である場合には（ステップＳ１０５：Ｎｏ）、そのままタイマによる時間計測を継続すると共に、誤操作領域である背景領域Ａへの接触の回数を計測（カウント）し、カウント値をインクリメントする処理を継続する（ステップＳ１０７）。
【００４０】
その後、計測部２３は、タイムアップしたか否か、つまり、タイマが予め設定した時間（一定時間）を越えたか否かを判別する（ステップＳ１０８）。そして、タイムアップしていない場合には（ステップＳ１０８：Ｎｏ）、処理制御部２１は、カウント値が予め設定した閾値以上であるか未満であるかを判別する（ステップＳ１０９）。この閾値はプログラムで任意に設定でき、例えば、２回連続の場合では、閾値＝２、ｎ（ｎは自然数）回連続の場合では、閾値＝ｎのように設定される。
【００４１】
そして、タイマがタイムアップするまでにカウント値が閾値以上となった場合には（ステップＳ１０９：Ｙｅｓ）、表示部２２ａは、表示制御部２２により制御され、図５に示すように、操作領域、つまり、キー画像２２ｂ〜２２ｅを拡大して表示する（ステップＳ１１０）。そして、再びステップＳ１０２に戻って、検出部２５は、タッチパネル２５ａへの接触があったか否かを検出する状態を継続する（ステップＳ１０２）。
【００４２】
一方、カウント値が予め設定した閾値以上であるか未満であるかが判別されることなく、タイムアップした場合には（ステップＳ１０８：Ｙｅｓ）、計測部２３は、カウント値、タイマ、フラグをリセットする（カウント値＝０、タイマ＝０［ｓｅｃ］、ＦＬＧ＝０）（ステップＳ１１３）。そして、表示部２２ａがキー画像２２ｂ〜２２ｅを拡大して表示することなく、再びステップＳ１０２に戻って、検出部２５は、タッチパネル２５ａへの接触があったか否かを検出する状態を継続する（ステップＳ１０２）。
【００４３】
他方、ステップＳ１０４で、操作領域に接触されたと判別された場合には（ステップＳ１０４：Ｎｏ）、当該接触が行われた領域に応じた機能が実現される（ステップＳ１１１）。
【００４４】
具体的に説明すると、操作領域に設定されたキー画像２２ｂ〜２２ｅに接触がされると、各キー画像２２ｂ〜２２ｅに割り当てられた機能が実現される。即ち、ユーザが通話用キー画像２２ｂに接触すると、表示部２２ａに電話帳が表示されるなどして通話機能が実現される。ユーザが電子メール用キー画像２２ｃに接触すると、表示部２２ａに電子メールの編集用画面が表示され、電子メールの編集及び送信機能が実現される。ユーザがインターネット接続用キー画像２２ｄに接触すると、表示部２２ａにインターネット接続用の画面が表示され、インターネット（ウェッブ）への接続機能が実現される。ユーザがアプリケーション用キー画像２２ｅに接触すると、表示部２２ａにアプリケーションメニューが表示され、ＴＶ放送受信・再生やゲームなどの各種アプリケーション機能が実現される。
【００４５】
ここでは、ユーザが電子メール用キー画像２２ｃに接触したものとする。すると、図６に示すように、表示部２２ａが、Ｅメールメニュー画面を表示する。そして、電子メールに関係する複数種の各機能に割り当てられた新規メール作成用キー画像２３ａ、受信フォルダ用キー画像２３ｂ、送信フォルダ用キー画像２３ｃ、及び新着メール問い合わせ用キー画像２３ｄが表示され、所要のものが選択可能な状態となる。さらに、処理制御部２１が、計測部２３を制御し、カウント値、タイマ、フラグをリセットする（カウント値＝０、ＦＬＧ＝０、タイマ＝０［ｓｅｃ］）（ステップＳ１１２）。
【００４６】
このＥメールメニュー画面では、図６に示すように、表示部２２ａが、画面復帰用キー画像２７、及び終了用キー画像２８の各キー画像を更に表示する。そして、ユーザが画面復帰用キー画像２７に接触すると、一つ前に表示部２２ａに表示されていた画像、ここでは、図４又は図５に示す画像が表示される。また、ユーザが終了用キー画像２８に接触すると、図４に示す初期画面に復帰するとともに、実現されていた機能が強制的に終了される。
【００４７】
このＥメールメニュー画面においても、図７に示すように、表示部２２ａは、表示制御部２２により制御され、表示画面を操作領域と誤操作領域とに区分して表示する（ステップＳ２０１）。
【００４８】
具体的には、表示部２２ａは、表示画面を、新規メール作成用キー画像２３ａ、受信フォルダ用キー画像２３ｂ、送信フォルダ用キー画像２３ｃ、及び新着メール問い合わせ用キー画像２３ｄとから構成される操作領域と、キー画像２３ａ〜２３ｄ以外の、無地単色の背景領域Ｂから構成される誤操作領域とに区分して表示する。
【００４９】
次に、検出部２５は、タッチパネル２５ａへの接触があったか否かを検出し（ステップＳ２０２）、接触があった場合には（ステップＳ２０２：Ｙｅｓ）、表示部２２ａの表示画面における接触の位置を検出する（ステップＳ２０３）。
【００５０】
一方、接触がない場合には（ステップＳ２０２：Ｎｏ）、検出部２５は、タッチパネル２５ａへの接触があったか否かを検出する状態を継続する（ステップＳ２０２）。
【００５１】
検出部２５が表示部２２ａの表示画面における接触位置を検出すると、領域判別部２４は、その接触位置が誤操作領域内にあるか否かを判別する（ステップＳ２０４）。
【００５２】
そして、誤操作領域であるうちの背景領域Ｂに接触されたと判別された場合には（ステップＳ２０４：Ｙｅｓ）、計測部２３は、フラグ（ＦＬＧ）が０であるか否かを判別し（ステップＳ２０５）、ＦＬＧ＝０である場合には（ステップＳ２０５：Ｙｅｓ）、内蔵したタイマをスタートさせ、時間計測を開始すると共に、ＦＬＧ＝１に設定する（ステップＳ２０６）。さらに、当該接触の回数を計測（カウント）し、カウント値を１つずつインクリメントする（ステップＳ２０７）。つまり、カウント値＝カウント値＋１とする。
【００５３】
一方、計測部２３は、フラグ（ＦＬＧ）が１である場合には（ステップＳ２０５：Ｎｏ）、そのままタイマによる時間計測を継続すると共に、誤操作領域である背景領域Ｂへの接触の回数を計測（カウント）し、カウント値をインクリメントする処理を継続する（ステップＳ２０７）。
【００５４】
その後、計測部２３は、タイムアップしたか否か、つまり、タイマが予め設定した時間（一定時間）を越えたか否かを判別する（ステップＳ２０８）。そして、タイムアップしていない場合には（ステップＳ２０８：Ｎｏ）、処理制御部２１は、カウント値が予め設定した閾値以上であるか未満であるかを判別する（ステップＳ２０９）。この閾値はプログラムで任意に設定でき、例えば、２回連続の場合では、閾値＝２、ｎ（ｎは自然数）回連続の場合では、閾値＝ｎのように設定される。
【００５５】
そして、タイマがタイムアップするまでにカウント値が閾値以上となった場合には（ステップＳ２０９：Ｙｅｓ）、表示部２２ａは、表示制御部２２により制御され、図８に示すように、操作領域、つまり、キー画像２３ａ〜２３ｄを囲む枠線を太くして表示する（ステップＳ２１０）。そして、再びステップＳ２０２に戻って、検出部２５は、タッチパネル２５ａへの接触があったか否かを検出する状態を継続する（ステップＳ２０２）。
【００５６】
一方、カウント値が予め設定した閾値以上であるか未満であるかが判別されることなく、タイムアップした場合には（ステップＳ２０８：Ｙｅｓ）、計測部２３は、カウント値、タイマ、フラグをリセットする（カウント値＝０、タイマ＝０［ｓｅｃ］、ＦＬＧ＝０）（ステップＳ２１３）。そして、表示部２２ａがキー画像２３ａ〜２３ｄを囲む枠線を太く表示することなく、再びステップＳ２０２に戻って、検出部２５は、タッチパネル２５ａへの接触があったか否かを検出する状態を継続する（ステップＳ２０２）。
【００５７】
他方、ステップＳ２０４で、操作領域に接触されたと判別された場合には（ステップＳ２０４：Ｎｏ）、当該接触された領域に応じた機能が実現される（ステップＳ２１１）。
【００５８】
具体的に説明すると、操作領域に設定されたキー画像２３ａ〜２３ｄに接触がされると、各キー画像２３ａ〜２３ｄに割り当てられた機能が実現される。即ち、ユーザが新規メール作成用キー画像２３ａに接触すると、表示部２２ａに電子メールの編集用画面が表示され、電子メールの編集及び送信機能が実現される。ユーザが受信フォルダ用キー画像２３ｂに接触すると、表示部２２ａに受信した電子メールの一覧が表示され、受信メールの閲覧機能が実現される。ユーザが送信フォルダ用キー画像２３ｃに接触すると、表示部２２ａに送信した電子メールの一覧が表示され、送信メールの閲覧機能が実現される。ユーザが新着メール問い合わせ用キー画像２３ｄに接触すると、表示部２２ａに新着メール問い合わせ画面が表示され、新着メールを確認する機能が実現される。
【００５９】
ここでは、ユーザが新規メール作成用キー画像２３ａに接触したものとする。すると、図９に示すように表示部２２ａに、送信メール作成画面が表示される。そして、送信する電子メールのメールアドレス、件名、及び本文が操作部４２によって入力可能な状態となる。
【００６０】
この送信メール作成画面においても、表示部２２ａは、表示制御部２２により制御され、表示画面を操作領域と誤操作領域とに区分して表示すると共に、図３又は図７で説明した入力受付処理と同様の処理が行われる。
【００６１】
具体的には、背景領域Ｃが誤操作領域に設定されると共に、メール送信用キー画像２４ｄが操作領域に設定される。そして、誤操作領域である背景領域Ｃに一定時間に連続して接触があった場合には、操作領域であるメール送信用キー画像２４ｄが拡大表示されるか、又は、メール送信用キー画像２４ｄを囲む枠線が太く表示される処理が行われる。
【００６２】
そして、図９に示す送信メール作成画面において、ユーザがメールアドレス、件名、及び本文を入力後、表示画面に表示されたメール送信用キー画像２４ｄに正しく接触することで（ステップＳ２１２）、電子メールが無線基地局に送信されるとともに、ここでの処理が一旦終了される。
【００６３】
本実施形態に係る携帯電話機５０によれば、表示部２２ａに表示された誤操作領域に対応するタッチパネル２５ａの領域への接触、即ち、誤った接触が一定時間内に複数回連続して行われた場合には、表示部２２ａがキー画像２２ｂ〜２２ｅ、２３ａ〜２３ｄ（操作領域）を接触が連続する以前とは異なる態様で表示するようにした。具体的には、表示部２２ａがキー画像２２ｂ〜２２ｅを誤った接触が連続する以前よりも拡大して表示するか、又は、キー画像２３ａ〜２３ｄを囲む枠線を太線で表示するようにした。これにより、ユーザが子供などの認知能力や操作能力が低い者であっても、タッチパネル２５ａへの接触の正誤を体感的に明瞭に認識することができ、タッチパネル２５ａへの正しい接触操作に確実に誘導することができるようになる。そして、携帯電話機５０が多種多様な機能を実現している場合でも、高い操作性と十分な機能とを両立させることができる。
【００６４】
なお、本実施形態では、誤った接触が一定時間内に連続して行われた場合に、キー画像（操作領域）を、接触が連続する以前と異なる態様で表示するようにした。具体的には、表示部２２ａに表示されるキー画像２２ｂ〜２２ｅを拡大するか、又は、キー画像２３ａ〜２３ｄを囲む枠線を太く表示するかの処理を行った。しかしこれに限られず、キー画像内に表示された文字について、書体（フォント）、文字スタイル（色、太字、細字、斜体）、文字の大きさ、文字種（ひらがななど）を、接触が連続する以前と異なる態様で表示するようにしてもよい。また、キー画像２２ｂ〜２２ｅの表示の色を変えたり、表示の明るさを明るくしたり、点滅させたり、形状を変化させたり（円、楕円、三角形、星形など）、回転や振動をさせたり、位置を移動させたりするようにしてもよい。
【００６５】
また、本実施形態では、表示部２２ａに表示された誤操作領域に対応するタッチパネル２５ａの領域に一定時間に予め定められた一つの閾値に対応する回数、連続した接触があったと判別されたことを条件として、表示部２２ａがキー画像２２ｂ〜２２ｅ、２３ａ〜２３ｄを接触が連続する以前と異なる態様で表示するようにした。しかしこれに限られず、閾値を複数段階の閾値から構成すると共に、キー画像（操作領域）は、誤った接触が一定時間内に連続して行われた回数が、各段階の閾値以上になるごとに順次拡大されたり、キー画像を囲む枠線が順次太く表示されたりするようにしてもよい。
【００６６】
図１４の例では、誤った接触が一定時間内に連続して行われた回数が、第１段の閾値を超えた場合、表示部２２ａがキー画像（接触領域）の大きさを、誤った接触が一定時間内に連続して行われる以前の大きさから、１．２倍の大きさへと拡大し、第２段の閾値を超えた場合、１．５倍の大きさへと拡大し、第３段の閾値を超えた場合、２倍の大きさへと拡大する。このように、閾値が複数段階の閾値から構成され、誤った接触が一定時間内に連続して行われた回数が各閾値を超えるごとに、表示部２２ａがキー画像２２ｂ〜２２ｅ、２３ａ〜２３ｄを接触が連続する以前と徐々に異なる態様で変化させて表示するようにしてもよい。なお、図１４は一例であり、閾値の段階は３段階に限られず、また拡大率もどのような値でもよい。
【００６７】
また、本実施形態では、表示部２２ａに表示された誤操作領域に対応するタッチパネル２５ａの領域に一定時間に複数回連続した接触があったと判別されたことを条件として、表示部２２ａがキー画像２２ｂ〜２２ｅ、２３ａ〜２３ｄを接触が連続する以前と異なる態様で表示するようにした。しかしこれに限られず、指などで２以上のキー画像に同時に接触されたと判別されたことを条件として、キー画像を接触が連続する以前と異なる態様で表示することも可能である。また、操作領域もしくは誤操作領域に対応するタッチパネル２５ａの領域に一定時間以上接触され続けたと判別されたことを条件としてキー画像を接触が連続する以前と異なる態様で表示することも可能である。
【００６８】
また、本実施形態では、表示部２２ａがキー画像２２ｂ〜２２ｅを以前と異なる態様で表示する際に、以前の態様から異なる態様へ、瞬時に変化させて表示してもよいし、徐々に変化させて表示してもよい。
【００６９】
また、本実施形態では、以前と異なる態様で表示されたキー画像２２ｂ〜２２ｅは、その後時間の経過とともに、以前の態様に戻るようにすることも可能である。すなわち、誤った接触が一定時間内に連続して行われ、表示部２２ａがキー画像２２ｂ〜２２ｅを以前と異なる態様で表示するようにした後、所定の閾時間が経過した場合に、あるいは時間の経過とともに徐々に、キー画像２２ｂ〜２２ｅを以前の態様で表示するようにしてもよい。
【００７０】
また、本実施形態では、誤った接触が一定時間内に連続して行われた場合において、表示部２２ａがキー画像（操作領域）を接触が連続する以前と異なる態様のみで表示するようにした。
【００７１】
しかしこれに限られず、誤った接触が一定時間内に連続して行われた場合において、表示部２２ａがキー画像（操作領域）を接触が連続する以前と異なる態様で表示することに加えて、報知部が、振動、光又は音声の少なくとも１種によって報知するようにしてもよい。
【００７２】
具体的には、まず、図１０に示すように、ユーザが携帯電話機５０の電源をオンにすると、表示部２２ａが初期画面であるモード選択画面を表示する。このモード選択画面では、４つのキー画像、即ち、表示変更モード用のキー画像２５ｂ、表示変更・振動モード用のキー画像２５ｃ、表示変更・ＬＥＤ点滅モード用のキー画像２５ｄ、及び表示変更・音声モード用のキー画像２５ｅが表示される。
【００７３】
そして、ユーザが表示変更モード用のキー画像２５ｂに接触することで、上記実施形態で説明したように、表示部２２ａがキー画像２２ｂ〜２２ｅを拡大して表示するか、又は、キー画像２３ａ〜２３ｄを囲む枠線を太く表示するかの処理を行う表示変更モードに設定する。
【００７４】
また、ユーザが表示変更・振動モード用のキー画像２５ｃに接触することで、表示変更・振動モードに設定する。この表示変更・振動モードでは、図１１に示すように、誤った接触が一定時間内に連続して行われた場合において、キー画像２２ｂ〜２２ｅを誤った接触が連続する以前よりも拡大して表示すること（キー画像２２ｂ〜２２ｅを囲む枠線を太く表示する処理でもよい）に加えて、振動部３２が振動する。
【００７５】
また、ユーザが表示変更・ＬＥＤ点滅モード用のキー画像２５ｄに接触することで、表示変更・ＬＥＤ点滅モードに設定する。この表示変更・ＬＥＤ点滅モードでは、図１２に示すように、誤った接触が一定時間内に連続して行われた場合において、キー画像２２ｂ〜２２ｅを誤った接触が連続する以前よりも拡大して表示すること（キー画像２２ｂ〜２２ｅを囲む枠線を太く表示する処理でもよい）に加えて、ＬＥＤ３３が点滅する。
【００７６】
また、ユーザが表示変更・音声モード用のキー画像２５ｅに接触することで、表示変更・音声モードに設定する。この表示変更・音声モードでは、図１３に示すように、誤った接触が一定時間内に連続して行われた場合において、キー画像２２ｂ〜２２ｅを誤った接触が連続する以前よりも拡大して表示すること（キー画像を囲む枠線を太く表示する処理でもよい）に加えて、スピーカ４４から音声（「操作が誤っています。正しい操作を行ってください。」）が発音される。
【００７７】
なお、上記した各モードの解除は、当該各モードに設定するためにユーザが接触したキー画像２５ｂ〜２５ｅのいずれかに再度、接触することで実行されることができる。携帯電話機５０は、工場出荷段階では、上記各モードのいずれにも設定されていない初期状態となっており、そのキー画像２５ｂ〜２５ｅへの再度の接触によって、その初期状態に復帰するようになっている。
【００７８】
さらに、上述した振動、光又は音声による報知は、キー画像２２ｂ〜２２ｅ、２３ａ〜２３ｄを接触が一定時間に連続する以前と異なる態様で表示させることに加えて、複数種を同時に実行させることもできる。例えば、振動と光による報知、光と音声による報知、振動と音声による報知である。
【００７９】
さらにまた、閾値を複数段階の閾値（ここでは３段階で、第１段の閾値＝２、第２段の閾値＝４、第３段の閾値＝６）から構成すると共に、キー画像（操作領域）は、誤った接触が一定時間内に連続して行われた回数が、第１段の閾値（＝２）、第２段の閾値（＝４）、第３段の閾値（＝６）になるごとに、図１１〜図１３に示す各モードに順次切り替えるようにしてもよい。あるいは、誤った接触が一定時間内に連続して行われた回数が、第１段の閾値（＝２）、第２段の閾値（＝４）、第３段の閾値（＝６）になるごとに、振動の度合を順次大きくしてもよいし、光の強さを順次大きくしてもよいし、音声の音量を順次大きくしてもよい。
【００８０】
また、本実施形態では、表示部２２ａに表示した４つのキー画像２２ｂ〜２２ｅによって、各キー画像２２ｂ〜２２ｅに予め割り当てたモードを選択させ、設定するようにした。しかしこれに限られず、例えば、複数のユーザごとに最適なモードを記憶部３１にパスワード別に予め記憶させておき、当該操作部４２へのパスワードの入力によって、主制御部２０が最適なモードを自動的に選択して設定するように構成してもよい。
【００８１】
さらに、このように構成することもできる。つまり、大人、子供、高齢者などのユーザの属性ごとに最適なモードを記憶部３１に予め記憶させておく。そして、携帯電話機５０に配設されたカメラやマイクで検知した顔画像や音声などに基づいて主制御部２０がユーザの属性を自動的に判別し、誤操作領域に対して一定時間に連続した誤操作があったときには、主制御部２０が、そのユーザの属性に対応したモードを自動的に選択して設定するように構成してもよい。例えば、顔の画像認証によりユーザが子供であると判別された場合には、キー画像内に表示された文字や文章について、子供が認識しやすい平易な単語、文字スタイル（太字）、文字の大きさ、文字種（「ひらがな」、「カタカナ」など）を用いて表示するようにしてもよい。
【００８２】
また、本実施形態では、機能選択部４２ａ及びテンキー部４２ｂから構成される操作部４２を、表示部２２ａ及びタッチパネル２５ａとは分離し、押し下げボタンやスクロールキーなどの機械的な構造のものから構成した。しかしこれに限られず、表示部２２ａに機能選択用のキー画像を表示させたり、テンキーを表示させたりすることで、操作部４２をソフトウェア的に構成することも可能である。
【００８３】
本発明は、上記実施形態で説明した携帯電話機に限らず、ＰＤＡ（Personal Digital Assistant）、携帯型ＰＣ（Mobile Personal Computer)などの携帯通信端末、及びその他の情報処理装置においても適用することができる。即ち、上記実施形態は説明のためのものであり、本願発明の範囲を制限するものではない。したがって、当業者であればこれらの各要素または全要素をこれと均等なものに置換した実施形態を採用することが可能であるが、これらの実施形態も本発明の範囲に含まれる。
【００８４】
なお、本願は、２００９年９月２５日に出願された日本国特許出願２００９−２２１６２８号に基づく。本明細書中に日本国特許出願２００９−２２１６２８号の明細書、特許請求の範囲、図面全体を参照として取り込むものとする。
【符号の説明】
【００８５】
２０      主制御部
２１      処理制御部
２２      表示制御部
２２ａ    表示部
２３      計測部
２４      領域判別部
２５      検出部
２５ａ    タッチパネル
２６      音声処理部
３１      記憶部
３３      ＬＥＤ
４１      無線通信部
４１ａ    アンテナ
４２      操作部
４２ａ    機能選択部
４２ｂ    テンキー部
４３      マイク
４４      スピーカ
５０      携帯電話機
【図１】
0005609880.tif 000002
【図２】
0005609880.tif 000003
【図３】
0005609880.tif 000004
【図４】
0005609880.tif 000005
【図５】
0005609880.tif 000006
【図６】
0005609880.tif 000007
【図７】
0005609880.tif 000008
【図８】
0005609880.tif 000009
【図９】
0005609880.tif 000010
【図１０】
0005609880.tif 000011
【図１１】
0005609880.tif 000012
【図１２】
0005609880.tif 000013
【図１３】
0005609880.tif 000014
【図１４】
0005609880.tif 000015